【手続補正書】
【提出日】平成24年1月6日(2012.1.6)
【手続補正１】
【補正対象書類名】明細書
【補正対象項目名】００１９
【補正方法】変更
【補正の内容】
【００１９】
生分解性合成血管移植片は、任意の血管または心血管の外科的な用途のための静脈、動脈、または動静脈（ａｒｔｅｒｏ−ｖｅｎｏｕｓ）導管として使用することができる。例示的な用途には、それだけに限らないが、先天性心臓手術、冠動脈バイパス手術、末梢血管手術、および血管アクセス（ａｎｇｉｏａｃｃｅｓｓ）が含まれる。
本発明は、例えば以下の項目を提供する。
（項目１）
ポリマー血管移植片の開存性を増大させるための方法であって、有効量のサイトカインまたはケモカインを投与することによって、前記移植片への宿主細胞の動員を促進する工程を含む方法。
（項目２）
前記血管移植片が生分解性ポリマーまたは生体吸収性ポリマーを含む、項目１に記載の方法。
（項目３）
前記生分解性ポリマーまたは生体吸収性ポリマーが、ポリ（乳酸）、ポリ（グリコール酸）、ポリアンヒドリド、ポリ（オルト）エステル、ポリエステル、ポリウレタン、ポリ（酪酸（ｂｕｔｉｃ  ａｃｉｄ））、ポリ（吉草酸）、ポリ（カプロラクトン）、ポリ（ヒドロキシアルカノエート）、およびポリ（ラクチド−コ−カプロラクトン）、またはこれらの組合せ、ブレンド、もしくはコポリマーからなる群から選択される、項目２に記載の方法。
（項目４）
前記生分解性ポリマーまたは生体吸収性ポリマーが、繊維ベースのメッシュに形成される、項目２に記載の方法。
（項目５）
前記繊維ベースのメッシュが不織のメッシュである、項目４に記載の方法。
（項目６）
前記血管移植片がポリマーシーラントをさらに含む、項目５に記載の方法。
（項目７）
前記ポリマーシーラントが、ε−カプロラクトンとＬ−ラクチドのコポリマーを含む、項目６に記載の方法。
（項目８）
前記サイトカインまたはケモカインが、ＭＣＰ−１、ＩＬ−１β、およびＧ−ＣＳＦからなる群から選択される、項目１に記載の方法。
（項目９）
前記サイトカインまたはケモカインがＭＣＰ−１である、項目８に記載の方法。
（項目１０）
前記サイトカインまたはケモカインが、前記血管移植片中または前記血管移植片上に組み込まれる、項目１に記載の方法。
（項目１１）
サイトカインまたはケモカインを含まないポリマー血管移植片と比べて、ポリマー血管移植片への宿主細胞の動員を増大させるための、有効量の前記サイトカインまたはケモカインを含むポリマー血管移植片または導管。
（項目１２）
生分解性ポリマーまたは生体吸収性ポリマーを含む、項目１１に記載のポリマー血管移植片または導管。
（項目１３）
前記生分解性ポリマーまたは生体吸収性ポリマーが、ポリ（乳酸）、ポリ（グリコール酸）、ポリアンヒドリド、ポリ（オルト）エステル、ポリエステル、ポリウレタン、ポリ（酪酸（ｂｕｔｉｃ  ａｃｉｄ））、ポリ（吉草酸）、ポリ（カプロラクトン）、ポリ（ヒドロキシアルカノエート）、およびポリ（ラクチド−コ−カプロラクトン）、またはこれらの組合せ、ブレンド、もしくはコポリマーからなる群から選択される、項目１２に記載のポリマー血管移植片または導管。
（項目１４）
前記生分解性ポリマーまたは生体吸収性ポリマーが、繊維ベースのメッシュに形成される、項目１３に記載のポリマー血管移植片または導管。
（項目１５）
前記繊維ベースのメッシュが不織のメッシュである、項目１４記載のポリマー血管移植片または導管。
（項目１６）
前記血管移植片がポリマーシーラントをさらに含む、項目１５に記載のポリマー血管移植片または導管。
（項目１７）
前記ポリマーシーラントが、ε−カプロラクトンとＬ−ラクチドのコポリマーを含む、項目１６に記載のポリマー血管移植片または導管。
（項目１８）
前記サイトカインまたはケモカインが、ＭＣＰ−１、ＩＬ−１β、およびＧ−ＣＳＦからなる群から選択される、項目１１に記載のポリマー血管移植片または導管。
（項目１９）
前記サイトカインまたはケモカインがＭＣＰ−１である、項目１８に記載のポリマー血管移植片または導管。
（項目２０）
抗血栓薬、抗増殖剤（ａｎｔｉ−ｐｒｏｌｉｆｅｒａｔｉｖｅ  ａｇｅｎｔｓ）、抗炎症剤、抗増殖剤（ａｎｔｉｐｒｏｌｉｆｅｒａｔｉｖｅ  ａｇｅｎｔｓ）、麻酔剤、抗凝固剤、コレステロール低下薬、血管拡張剤、および内因性血管作動性（ｖａｓｃｏａｃｔｉｖｅ）機構を妨害する薬剤からなる群から選択される活性薬剤をさらに含む、項目１１に記載のポリマー血管移植片または導管。
（項目２１）
前記サイトカインまたはケモカインが、前記血管移植片または導管全体にわたって分散される、項目１１に記載のポリマー血管移植片または導管。
（項目２２）
前記サイトカインまたはケモカインが、ミクロスフェア、ナノスフェア、微粒子、および／またはマイクロカプセルの形態で封入され、これらが前記ポリマー血管移植片または導管中に播種される、項目２１に記載のポリマー血管移植片または導管。
【手続補正２】
【補正対象書類名】特許請求の範囲
【補正対象項目名】全文
【補正方法】変更
【補正の内容】
【特許請求の範囲】
【請求項１】
サイトカインまたはケモカインを含むポリマー血管移植片または導管であって、該ポリマー血管移植片または導管は、該サイトカインまたはケモカインを含まない該移植片と比べて、該移植片への宿主細胞の動員を増大させるのに有効な量の該サイトカインまたはケモカインを含む、ポリマー血管移植片または導管。
【請求項２】
生分解性ポリマーまたは生体吸収性ポリマーを含む、請求項１に記載のポリマー血管移植片または導管。
【請求項３】
前記生分解性ポリマーまたは生体吸収性ポリマーが、ポリ（乳酸）、ポリ（グリコール酸）、ポリアンヒドリド、ポリ（オルト）エステル、ポリエステル、ポリウレタン、ポリ（酪酸（ｂｕｔｉｃ  ａｃｉｄ））、ポリ（吉草酸）、ポリ（カプロラクトン）、ポリ（ヒドロキシアルカノエート）、およびポリ（ラクチド−コ−カプロラクトン）、またはこれらの組合せ、ブレンド、もしくはコポリマーからなる群から選択される、請求項２に記載のポリマー血管移植片または導管。
【請求項４】
前記生分解性ポリマーまたは生体吸収性ポリマーが、繊維ベースのメッシュに形成される、請求項３に記載のポリマー血管移植片または導管。
【請求項５】
前記繊維ベースのメッシュが不織のメッシュである、請求項４に記載のポリマー血管移植片または導管。
【請求項６】
前記血管移植片がポリマーシーラントをさらに含む、請求項５に記載のポリマー血管移植片または導管。
【請求項７】
前記ポリマーシーラントが、ε−カプロラクトンとＬ−ラクチドとのコポリマーを含む、請求項６に記載のポリマー血管移植片または導管。
【請求項８】
前記サイトカインまたはケモカインが、ＭＣＰ−１、ＩＬ−１β、およびＧ−ＣＳＦからなる群から選択される、請求項１に記載のポリマー血管移植片または導管。
【請求項９】
前記サイトカインまたはケモカインがＭＣＰ−１である、請求項８に記載のポリマー血管移植片または導管。
【請求項１０】
抗血栓薬、抗増殖剤（ａｎｔｉ−ｐｒｏｌｉｆｅｒａｔｉｖｅ  ａｇｅｎｔｓ）、抗炎症剤、抗増殖剤（ａｎｔｉｐｒｏｌｉｆｅｒａｔｉｖｅ  ａｇｅｎｔｓ）、麻酔剤、抗凝固剤、コレステロール低下薬、血管拡張剤、および内因性血管作動性（ｖａｓｃｏａｃｔｉｖｅ）機構を妨害する薬剤からなる群から選択される活性薬剤をさらに含む、請求項１に記載のポリマー血管移植片または導管。
【請求項１１】
前記サイトカインまたはケモカインが、前記血管移植片または導管全体にわたって分散される、請求項１に記載のポリマー血管移植片または導管。
【請求項１２】
前記サイトカインまたはケモカインが、ミクロスフェア、ナノスフェア、微粒子、および／またはマイクロカプセルの形態で封入され、これらが前記ポリマー血管移植片または導管中に播種される、請求項１１に記載のポリマー血管移植片または導管。